(57)【要約】【課題】通信端末間の基地局に対する通信の公平性を保つ。【解決手段】複数の通信端末２−１，２−２，２−３から受信した当該通信端末２−１，２−２，２−３のバッテリ情報に応じて定められる優先度に基づき、前記複数の通信端末２−１，２−２，２−３宛のデータの通信制御を行ない、前記優先度を前記バッテリ情報の変化に関わらず所定の規則に従って変更する。【選択図】図１
2010034781.tif 000002
【特許請求の範囲】
【請求項１】
複数の通信端末と通信しうる基地局であって、
前記複数の通信端末から受信した当該通信端末のバッテリ情報に応じて定められる優先度に基づき、前記複数の通信端末宛のデータの通信制御を行なう通信制御部と、
前記優先度を前記バッテリ情報の変化に関わらず所定の規則に従って変更する優先度制御部と、
をそなえたことを特徴とする、基地局。
【請求項２】
前記規則は、
前記複数の通信端末に定められた優先度のうち最も高い優先度を低くすることである、
ことを特徴とする、請求項１記載の基地局。
【請求項３】
前記規則は、
前記複数の通信端末に定められた優先度のうち第１の閾値以上である優先度を低くすることである、
ことを特徴とする、請求項１又は２に記載の基地局。
【請求項４】
前記規則は、
前記優先度に基づく通信制御によるデータ送信回数が第２の閾値以上である場合に当該優先度を低くすることである、
ことを特徴とする、請求項１〜３のいずれか１項に記載の基地局。
【請求項５】
前記規則は、
前記バッテリ情報の変化の度合いが第３の閾値未満である場合に当該優先度を低くすることである、
ことを特徴とする、請求項１〜４のいずれか１項に記載の基地局。
【請求項６】
前記規則は、
前記優先度の低下に応じて他の優先度を高くすることである、
ことを特徴とする、請求項２〜５のいずれか１項に記載の基地局。
【請求項７】
基地局と通信しうる通信端末であって、
前記基地局宛に自端末のバッテリ情報を送信する情報送信部をそなえ、
前記基地局が前記バッテリ情報に応じて定められる優先度に基づいて前記通信端末宛のデータの通信制御を行ない、前記優先度を前記バッテリ情報の変化に関わらず所定の規則に従って変更した前記優先度に基づく通信制御を受ける、
ことを特徴とする、通信端末。
【請求項８】
複数の通信端末と通信しうる基地局の通信方法であって、
前記複数の通信端末から受信した当該通信端末のバッテリ情報に応じて定められる優先度に基づき、前記複数の通信端末宛のデータの通信制御を行ない、
前記優先度を前記バッテリ情報の変化に関わらず所定の規則に従って変更する、
ことを特徴とする、基地局の通信方法。
【請求項９】
基地局と通信しうる通信端末の通信方法であって、
前記基地局宛に自端末のバッテリ情報を送信し、
前記基地局が前記バッテリ情報に応じて定められる優先度に基づいて前記通信端末宛のデータの通信制御を行ない、前記優先度を前記バッテリ情報の変化に関わらず所定の規則に従って変更した前記優先度に基づく通信制御を受ける、
ことを特徴とする、通信端末の通信方法。
【請求項１０】
複数の通信端末と通信しうる基地局と、
前記基地局と通信しうる通信端末と、
前記基地局宛に前記通信端末のバッテリ情報を送信する情報送信部と、
前記複数の通信端末から受信した当該通信端末のバッテリ情報に応じて定められる優先度に基づき、前記複数の通信端末宛のデータの通信制御を行なう通信制御部と、
前記優先度を前記バッテリ情報の変化に関わらず所定の規則に従って変更する優先度制御部と、
をそなえたことを特徴とする、通信システム。
【発明の詳細な説明】
【技術分野】
【０００１】
本件は、基地局、通信端末、基地局の通信方法、通信端末の通信方法、通信システムに関する。本件は、例えば、通信端末と基地局とを有する無線通信システムに用いられる場合がある。
【背景技術】
【０００２】
複数の通信端末が基地局と無線による通信を行なう場合、基地局は、通信効率の低下を防ぐため、各通信端末に対する無線リソース割り当て（スケジューリング）の最適化や、各通信端末に適した通信方式の選択を行なう場合がある。
また、3rd Generation Partnership Project(３ＧＰＰ)のRadio Access Network（ＲＡＮ）２で標準化が進んでいるLong Term Evolution（ＬＴＥ）等では、通信端末が基地局にバッテリ残量を報告することが提案されている。
【０００３】
そこで、上記通信制御の指標として、例えば、送受信データ量、Quality of Service（ＱｏＳ）、基地局と通信端末との間の伝搬環境（品質）、基地局との送受信を希望する通信端末数の他、通信端末のバッテリ残量を用いることが考えられている。
【特許文献１】特開平１１−１９６４７８号公報
【発明の開示】
【発明が解決しようとする課題】
【０００４】
しかしながら、従来技術においては、基地局が、バッテリ残量の少ない通信端末を優先させる通信制御を行なう場合、特定の通信端末が優遇され続けることがある。
本件の目的の一つは、通信端末のバッテリ情報に基づく優先度を所定の規則に従って変更し、通信端末間の基地局に対する通信の公平性を保つことにある。
なお、前記目的に限らず、後述する実施形態に示す各構成により導かれる作用効果であって、従来の技術によっては得られない作用効果を奏することも他の目的の一つとして位置付けることができる。
【課題を解決するための手段】
【０００５】
例えば、以下の手段を用いる。
（１）複数の通信端末と通信しうる基地局であって、前記複数の通信端末から受信した当該通信端末のバッテリ情報に応じて定められる優先度に基づき、前記複数の通信端末宛のデータの通信制御を行なう通信制御部と、前記優先度を前記バッテリ情報の変化に関わらず所定の規則に従って変更する優先度制御部と、をそなえた基地局を用いることができる。
【０００６】
（２）また、基地局と通信しうる通信端末であって、前記基地局宛に自端末のバッテリ情報を送信する情報送信部をそなえ、前記基地局が前記バッテリ情報に応じて定められる優先度に基づいて前記通信端末宛のデータの通信制御を行ない、前記優先度を前記バッテリ情報の変化に関わらず所定の規則に従って変更した前記優先度に基づく通信制御を受ける、通信端末を用いることができる。
【０００７】
（３）さらに、複数の通信端末と通信しうる基地局の通信方法であって、前記複数の通信端末から受信した当該通信端末のバッテリ情報に応じて定められる優先度に基づき、前記複数の通信端末宛のデータの通信制御を行ない、前記優先度を前記バッテリ情報の変化に関わらず所定の規則に従って変更する、基地局の通信方法を用いることができる。
（４）また、基地局と通信しうる通信端末の通信方法であって、前記基地局宛に自端末のバッテリ情報を送信し、前記基地局が前記バッテリ情報に応じて定められる優先度に基づいて前記通信端末宛のデータの通信制御を行ない、前記優先度を前記バッテリ情報の変化に関わらず所定の規則に従って変更した前記優先度に基づく通信制御を受ける、通信端末の通信方法を用いることができる。
【０００８】
（５）さらに、複数の通信端末と通信しうる基地局と、前記基地局と通信しうる通信端末と、前記基地局宛に前記通信端末のバッテリ情報を送信する情報送信部と、前記複数の通信端末から受信した当該通信端末のバッテリ情報に応じて定められる優先度に基づき、前記複数の通信端末宛のデータの通信制御を行なう通信制御部と、前記優先度を前記バッテリ情報の変化に関わらず所定の規則に従って変更する優先度制御部と、をそなえた通信システムを用いることができる。
【発明の効果】
【０００９】
通信端末間の基地局に対する通信の公平性を保つことが可能である。
【発明を実施するための最良の形態】
【００１０】
以下、図面を参照して実施の形態を説明する。ただし、以下に示す実施形態は、あくまでも例示に過ぎず、以下に示す実施形態で明示しない種々の変形や技術の適用を排除する意図はない。即ち、本実施形態は、その趣旨を逸脱しない範囲で種々変形（各実施形態を組み合わせる等）して実施することができる。
〔１〕一実施形態
図１の（１）及び（２）は、それぞれ、一実施形態に係る無線通信システムの構成例を示す図である。
【００１１】
この図１の（１）及び（２）に示す無線通信システムは、例示的に、基地局（例えば、e-Node B、ｅＮＢ）１と、ｅＮＢ１と無線通信しうる通信端末（User Equipment、ＵＥ）２−１，２−２，２−３とをそなえる。なお、以下において、ＵＥ２−１，２−２，２−３を区別しない場合は、単にＵＥ２と表記する。また、ＵＥ２及びｅＮＢ１それぞれの数は、図１に例示する数に限定されない。
【００１２】
以下では、図１の（１）に例示するように、ＵＥ２からｅＮＢ１への通信方向を上りと称する。また、図１の（２）に例示するように、ｅＮＢ１からＵＥ２への通信方向を下りと称する。
ｅＮＢ１は、例えば、上位装置（図示省略）とＵＥ２との間のデータや呼の中継、通信制御を行なうことができ、ＵＥ２は、データや呼の送受信を行なうことができる。なお、データには、ユーザデータ、各種の制御情報が含まれ得る。
【００１３】
ＵＥ２は、ｅＮＢ１からの下りデータを受信処理し、その受信処理結果をｅＮＢ１に報告する。例えば、ＵＥ２は、前記下りデータをエラーなく受信できれば、受信成功を示すＡＣＫ（ACKnowledge）を、エラーが発生した場合には受信失敗を示すＮＡＣＫ（Not ACKnowledge）を、それぞれｅＮＢ１に返信する。ｅＮＢ１は、ＡＣＫを受信した場合は、当該ＵＥ２宛の新規データの送信を行ない、ＮＡＣＫを受信した場合は、エラーしたデータの再送を行なう。なお、ｅＮＢ１がＵＥ２からの上りデータについて、その受信処理結果をＵＥ２に報告することもできる。例えば、ｅＮＢ１は、ＵＥ２からの上りデータの受信処理結果に応じて、ＡＣＫあるいはＮＡＣＫを送信し、ＵＥ２は、ＡＣＫを受信した場合は、当該ｅＮＢ１宛の新規データの送信を行ない、ＮＡＣＫを受信した場合は、エラーしたデータの再送を行なう。
【００１４】
また、ＵＥ２は、通常の通信に加えて、定期あるいは不定期に、自局２のバッテリ残量（例えば、バッテリの残り駆動時間など）に関する情報（以下、バッテリ情報ともいう）をｅＮＢ１に報告する。
図１の（１）及び（２）には、例示的に、ＵＥ２−１のバッテリ（電池）残量が、ＵＥ２−２，２−３のバッテリ残量よりも少なく、また、ＵＥ２−２のバッテリ残量が、ＵＥ２−３のバッテリ残量よりも少なくなっている様子を示している。
【００１５】
ここで、各ＵＥ２からバッテリ情報の報告を受けたｅＮＢ１は、各ＵＥ２のバッテリ残量を管理（監視）する。そして、バッテリ残量が最も少ないＵＥ２−１に対して、他のＵＥ２−２，２−３よりも優先的な通信制御を行なうように、所定の優先度を定め、この優先度に基づいて通信制御を行なう（優遇措置を施す）。この通信制御には、例えば、優先度が高いほど、通信効率が良くなるようにデータレートを変更したり、通信品質が良好な通信チャネルを割り当てたりすることが含まれる。
【００１６】
このため、ｅＮＢ１は、図１の（２）に例示するように、各ＵＥ２のバッテリ残量と優先度とを対応付けた優先度テーブルを有する。この優先度テーブルは、例えば、ｅＮＢ１がＵＥ２から定期あるいは不定期にバッテリ情報を受信する毎に更新される。
図１の（２）に示す例では、上記優先度テーブルには、バッテリ残量が最も少ないＵＥ２−１（バッテリ残量「少」）に対して、優先度「高」が設定される。一方、バッテリ残量がＵＥ２−１よりも多く、ＵＥ２−３よりも少ないＵＥ２−２（バッテリ残量「中」）に対しては、優先度「中」が設定される。そして、バッテリ残量の最も多いＵＥ２−３（バッテリ残量「多」）に対しては、優先度「低」が設定される。
【００１７】
このように、ｅＮＢ１は、各ＵＥ２から受信したバッテリ情報に応じて、各ＵＥ２に優先度を定め、この優先度に基づいて、各ＵＥ２宛のデータの通信制御を行なう。つまり、ｅＮＢ１は、優先度の高いＵＥ２−１を他のＵＥ２−２，２−３よりも優遇する通信制御を行なう。
ここで、上記の通信方法では、ＵＥ２のバッテリ（電池）が充電されない限り、バッテリ残量の大小関係が変化しないため、バッテリ残量が他のＵＥ２−２，２−３よりも少ないＵＥ２−１が優遇され続ける場合がある。
【００１８】
例えば、図２の（１）に、ある時間ｔ１（ｔ１は正の数）における優先度テーブルの登録例を示す。この時間ｔ１において、ｅＮＢ１には、ＵＥ２−１（＃１）〜ＵＥ２−５（＃５）からバッテリ残量（時間）が報告され、優先度テーブルには、そのバッテリ情報に応じた優先度が設定されている。
この優先度テーブルには、例えば、時間ｔ１におけるＵＥ＃１〜ＵＥ＃５のバッテリ残量が、「０．８」、「２．０」、「３．５」、「１．２」、「３．２」と格納されている。また、バッテリ残量の少ないＵＥ２ほど高い優先度が設定されるので、ＵＥ＃１〜ＵＥ＃５の優先度には、それぞれ、例示的に、「１」、「３」、「５」、「２」、「４」が設定される。なお、ここでは、上記優先度に設定される値が小さいほど、優先度が高いものとする。
【００１９】
このような優先度テーブルを有するｅＮＢ１は、例えば、優先度の最も高いＵＥ＃１に対して、最も通信品質の良い通信チャネルを割り当てる。一方、ｅＮＢ１は、例えば、他のＵＥ＃２〜＃５に対しては、優先度の高い順に、通信品質の良好な通信チャネルを割り当てる。
ここで、時間ｔ１から所定の時間Ｔ（Ｔは正の数）が経過したときの優先度テーブルの登録例を図２の（２）に例示する。
【００２０】
この図２の（２）に例示するように、時間ｔ１から所定の時間Ｔが経過するまでの間に、各ＵＥ２のバッテリが充電されないことがある。そのような場合、ＵＥ＃１〜＃５の各バッテリ残量は、一律に減少して、例えば、「０．５」、「１．７」、「３．２」、「０．９」、「２．９」となる。このとき、ＵＥ＃１〜＃５の各優先度は、上記と同様に、バッテリ残量の少ないＵＥ２ほど高く設定されるから、「１」、「３」、「５」、「２」、「４」となり、変化しない。
【００２１】
このように、各ＵＥ２のバッテリが充電されない限り、バッテリ残量の順位（大小関係）は変化しないので、ｅＮＢ１により各ＵＥ２に設定される優先度も変化しない。つまり、図２の（１）及び（２）に示す例では、ＵＥ２−１がｅＮＢ１に優遇され続けることになる。
また、上記のバッテリ残量は各ＵＥ２が個別に保有する情報であるので、ｅＮＢ１は、各ＵＥ２からのバッテリ残量報告が正しいかどうかを判断することができない。したがって、上記の優先度設定では、ｅＮＢ１は、虚偽のバッテリ残量報告（バッテリ残量の過少報告）をするＵＥ２を優遇し続けることになるので、真にバッテリ残量の少ないＵＥ２が不利益を被る可能性もある。
【００２２】
そこで、本例では、ＵＥ２から受信したバッテリ情報に応じて定められる優先度を、バッテリ情報の変化に関わらず所定の規則に従って変更する。この規則の一例としては、例えば、所定の時間、最も優先度の高いＵＥ２の優先度を低くしたり、優先度に基づく上記通信制御の回数がある回数以上となったＵＥ２の優先度を低くしたりすることなどが挙げられる。また、所定の時間におけるバッテリ残量の減少量がある値未満であるＵＥ２の優先度を低くすることなども挙げられる。
【００２３】
図３の（１）に、図２の（１）と同様の、ある時間ｔ１における優先度テーブルの登録例を示す。また、図３の（２）に、時間ｔ１から所定の時間Ｔが経過したときの優先度テーブルの登録例を例示する。
この図３の（２）に例示するように、例えば、本例のｅＮＢ１は、前回の優先度設定から所定の時間（Ｔ）経過後、最も高い優先度「１」を有するＵＥ＃１について、最も低い優先度「５」に変更する。なお、このＵＥ＃１の優先度変更に伴い、他のＵＥ＃２〜＃４の優先度を繰り上げてもよい。この結果、ＵＥ＃４の優先度が最も高くなる。
【００２４】
これにより、同じＵＥ２が優遇され続けることを防止できるので、ＵＥ２間のｅＮＢ１に対する通信の公平性を保つことが可能となる。
なお、本例のｅＮＢ１は、複数のＵＥ２を優先度変更の対象に選択してもよく、また、優先度の下げ幅についても適宜変更することができる。また、本例のｅＮＢ１は、前記時間Ｔが経過する度に（つまり周期Ｔで）、上記と同様の優先度変更処理を実施することもできる。
【００２５】
このようにすれば、より柔軟に優先度を変更することができるので、さらに効率的に通信の公平性を保つことが可能となる。
〔２〕無線通信システムの具体例
以下、上述した無線通信システムの詳細な一例について説明する。
（２．１）ＵＥ２について
図６は一実施形態に係るＵＥ２の構成例を示すブロック図である。この図６に例示するＵＥ２は、例示的に、バッテリ残量情報収集部２５と、上り制御情報生成部２６と、上り送信フレーム構成部２７と、送信部２８と、送信アンテナ２９と、受信アンテナ３０と、受信部３１と、をそなえる。また、ＵＥ２は、例示的に、分離部３２と、データ復調部３３と、制御情報復調部３４と、制御情報復号部３５と、ＣＨ推定部３６と、データ復号部３７と、誤り検出部３８と、をそなえる。
【００２６】
ここで、送信アンテナ（Ｔｘ）２９は、ｅＮＢ１宛の上り無線信号を送信する無線インタフェースである。
また、受信アンテナ（Ｒｘ）３０は、ｅＮＢ１０から送信される下り無線信号を受信する無線インタフェースである。これらのアンテナも送受信用で共通化してもよい。
送信部２８は、ｅＮＢ１宛に送信する上りデータに所定の無線送信処理を施す。例示的に、前記無線送信処理には、ＵＥ２宛の送信データのＤＡ（ディジタル／アナログ）変換、無線周波数への周波数変換（アップコンバージョン）、電力増幅などの処理が含まれる。
【００２７】
受信部３１は、受信アンテナ３０でｅＮＢ１から受信した無線信号に所定の無線受信処理を施す。前記無線受信処理には、例示的に、受信無線信号の低雑音増幅、ベースバンド周波数への周波数変換（ダウンコンバージョン）、ＡＤ（アナログ／ディジタル）変換などの処理が含まれる。
分離部３２は、受信部３１で所定の無線受信処理を施された受信信号から、ｅＮＢ１の制御情報や、その他のチャネル信号（ユーザデータ，ＲＳ信号など）をチャネル毎に分離する。ユーザデータは、ｅＮＢ１から送信されるデータチャネルの信号であり、分離部３２によりチャネル分離された後、データ復調部３３へ送出される。また、ＲＳ信号は、既知の信号であり、分離部３２によりチャネル分離された後、ＣＨ推定部３６へ送出される。
【００２８】
上記制御情報には、例えば、ＡＣＫ／ＮＡＣＫ信号や、ｅＮＢ１での受信品質を表すChannel Quality Indicator（ＣＱＩ）などが含まれるほか、本例では、ｅＮＢ１でのスケジューリング結果が含まれる。この制御情報は、分離部３２によりチャネル分離された後、制御情報復調部３４へ送出される。
ＣＨ推定部３６は、ｅＮＢ１から受信したＲＳ信号を用いてチャネル（ＣＨ）推定を行なう。このチャネル推定により得られたチャネル推定値は、制御情報復調部３４及びデータ復調部３３へそれぞれ送出される。
【００２９】
制御情報復調部３４は、ＣＨ推定部３６から通知されるチャネル推定値を用いて、ｅＮＢ１から受信した制御情報について所定の復調処理を施す。
制御情報復号部３５は、制御情報復調部３４により復調された制御信号について、所定の復号処理を施す。制御情報復調部３４及び制御情報復号部３５により、復調及び復号処理を施された制御信号は、データ復調部３３及びデータ復号部３７へそれぞれ送出される。この制御情報には、上述のように、ｅＮＢ１でのスケジューリング結果（上りリソース割り当て情報）が含まれている。この上りリソース割り当て情報は、上り制御情報生成部２６へ送出される。
【００３０】
データ復調部３３は、ＣＨ推定部３６から通知されるチャネル推定値及び制御情報復号部３５から通知される制御情報を用いて、ｅＮＢ１から受信したデータチャネルの信号について所定の復調処理を施す。
データ復号部３７は、制御情報復号部３５から通知される制御情報を用いて、データ復調部３３により復調処理を施されたデータチャネルの信号について、所定の復号処理を施す。データ復調部３３及びデータ復号部３７により復調及び復号処理を施されたデータチャネルの信号は、誤り検出部３８へ送出される。
【００３１】
これにより、本例のＵＥ２は、ｅＮＢ１が後述する所定の規則に従って変更した優先度に基づく通信制御を受けることができる。
また、誤り検出部３８は、ｅＮＢ１から受信したデータチャネルの信号が誤っていないかどうかを検出する。この誤り検出には、例えば、Cyclic Redundancy Check（ＣＲＣ）などの誤り検査符号を用いることができる。そして、本例の誤り検出部３８は、ｅＮＢ１から受信したデータチャネルの信号に誤りを検出した場合、その旨を示すＮＡＣＫ信号をｅＮＢ１に送信することにより、当該信号の再送要求を行なう。一方、ｅＮＢ１から受信したデータチャネルの信号に誤りを検出しない場合（正常に受信できた場合）、その旨を示すＡＣＫ信号をｅＮＢ１に送信する。
【００３２】
バッテリ残量情報収集部２５は、ＵＥ２が有するバッテリ（図示省略）のバッテリ残量値を測定する。このバッテリは、ＵＥ２に電力を供給する。本例のバッテリには、例えば、一次電池（乾電池），二次電池（蓄電池），燃料電池及び生物電池などの化学電池や、光電池及び熱電池などの物理電池などを用いることができる。バッテリ残量情報収集部２５で測定されたバッテリ残量値（バッテリ情報）は、上り制御情報生成部２６に通知される。
【００３３】
上り制御情報生成部２６は、制御情報復号部３５から通知される上記制御情報を用いて、上記バッテリ情報やＡＣＫ／ＮＡＣＫ、ＣＱＩなどの情報を含む、ｅＮＢ１宛の報告情報（制御情報）を作成する。
上り送信フレーム構成部２７は、上記制御情報に含まれる上りリソース割り当て情報に基づき、上記報告情報，上りデータ及び上りＲＳ信号などを上り無線リソースに割り当てる（マッピングする）。
【００３４】
このようにして、上り送信フレーム構成部２７により作成された上り信号は、上述の送信部２８及び送信アンテナ２９を介して、ｅＮＢ１へ送信される。
即ち、バッテリ残量情報収集部２５，上り制御情報生成部２６，上り送信フレーム構成部２７，送信部２８及び送信アンテナ２９は、ｅＮＢ１宛に自局２のバッテリ情報を送信する情報送信部の一例として用いられる。
【００３５】
上述のように、本例のＵＥ２は、ｅＮＢ１宛に自局２のバッテリ情報を送信し、ｅＮＢ１が前記バッテリ情報に基づいて割り当てた無線リソースを用いてｅＮＢ１からデータを受信する。
なお、本例のＵＥ２は、例示的に、上記バッテリ情報をｅＮＢ１宛の制御情報に含めることで、ｅＮＢ１及びＵＥ２の装置構成の変更を最小限に留めることが可能となる。
【００３６】
バッテリ情報を制御情報の一つに含める場合の送信フレームフォーマットの一例を図１０に示す。この図１０において、ＰＩＣＨはパイロットチャネル（Pilot Channel）、ＣＣＨは制御チャネル（Control Channel）、ＤＣＨはデータチャネル（Data Channel）をそれぞれ表す。
この図１０に例示するように、本例のＵＥ２は、例えば、送信フレームの制御チャネルにバッテリ残量情報という項目（領域）を新たに追加して、バッテリ情報（バッテリ残量情報）を制御チャネルに含めて送信することができる。
【００３７】
ただし、図１１に例示するように、ＵＥ２は、例えば、送信フレームのデータチャネルにバッテリ情報という項目を新たに追加して、バッテリ情報をデータチャネルに含めて送信することもできる。この場合、バッテリ情報の位置については、ｅＮＢ１とＵＥ２とで、既知の情報（例えば、データチャネルの先頭から３ビットなど）とすることができる。
以上のように、本例のＵＥ２は、自局２のバッテリ情報をｅＮＢ１宛に報告するので、ｅＮＢ１は、ＵＥ２からのバッテリ情報を考慮して、無線リソースのスケジューリングを行なうことが可能となる。
【００３８】
例えば、ｅＮＢ１により、バッテリ残量の少ないＵＥ２に対して、通信品質の良好な通信チャネルを割り当てることができる。
（２．２）ｅＮＢ１について
図４は一実施形態に係るｅＮＢ１の構成例を示すブロック図である。この図４に例示するｅＮＢ１は、例示的に、受信アンテナ３と、受信部４と、上り送信フレーム復調・復号部５と、スケジューラ６と、をそなえる。さらに、ｅＮＢ１は、例示的に、生成部７と、データ構成部１１と、データ変調部１２と、制御情報構成部１３と、制御情報変調部１４と、多重化部１５と、送信部１６と、送信アンテナ１７と、をそなえる。
【００３９】
ここで、受信アンテナ（Ｒｘ）３は、ＵＥ２から送信される上り無線信号を受信する無線インタフェースである。
また、送信アンテナ（Ｔｘ）１７は、ＵＥ２宛の下り無線信号を送信する無線インタフェースである。ただし、アンテナは送受信用で共通に設けてもよい。
受信部４は、受信アンテナ３でＵＥ２から受信した無線信号に所定の無線受信処理を施す。前記無線受信処理には、例示的に、受信無線信号の低雑音増幅、ベースバンド周波数への周波数変換（ダウンコンバージョン）、ＡＤ変換などの処理が含まれる。
【００４０】
送信部１６は、ＵＥ２宛に送信する下りデータに所定の無線送信処理を施す。前記無線送信処理には、例示的に、ＵＥ２宛の送信データのＤＡ変換、無線周波数への周波数変換（アップコンバージョン）、電力増幅などの処理が含まれる。
上り送信フレーム復調・復号部５は、受信部４で所定の無線受信処理が施された上りデータについて、例えば、スケジューラ６から通知される上りModulationand channel Coding Scheme（ＭＣＳ）情報に基づき、復調、復号処理を施す。
【００４１】
上り送信フレーム復調・復号部５により復調、復号処理が施された上りデータには、例えば、ＵＥ２でのＣＲＣ情報（例えば、ＡＣＫ／ＮＡＣＫ信号）や、ＵＥ２での下り信号の受信品質を表すＣＱＩなどの制御情報も含まれる。また、本例では、各ＵＥ２のバッテリ残量を示す数値情報（バッテリ残量情報又はバッテリ情報ともいう）も含まれる。なお、上述のように、バッテリ情報が、ＵＥ２において上り送信フレームの制御チャネルあるいはデータチャネルの既知の位置に含まれている場合、本例の上り送信フレーム復調・復号部５は、前記既知の位置からバッテリ情報を抽出することができる。
【００４２】
スケジューラ（通信制御部）６は、ＵＥ２から受信したバッテリ情報に応じて、当該ＵＥ２に優先度を設定し、その優先度に基づいて、下りデータの送信に用いる無線リソースの割り当て（スケジューリング）などを行なう。また、本例のスケジューラ６は、既述のような所定の規則に従って前記優先度を変更する。
上記スケジューリング結果は、ＵＥ２に下り信号により事前に通知することができる。ＵＥ２は、この通知を受けることで、下りデータに対して適切な受信処理を行なうことが可能となる。この通知には、例えば、下りの制御チャネルを用いることができ、その場合、前記スケジューリング結果は、ユーザ割り当て情報の一部として、多重化部１５に通知される。
【００４３】
また、スケジューラ６は、上り送信フレーム復調・復号部５から通知されるＣＲＣ情報（例えば、ＡＣＫ／ＮＡＣＫ信号）に基づいて、ＵＥ２宛の送信データの新規送信、再送制御を行なうこともできる。さらに、スケジューラ６は、上り送信フレーム復調・復号部５から通知されるＣＱＩに基づいて、ＵＥ２宛の送信データについてのＭＣＳ（符号化率、変調方式）を適応的に選択することもできる。また、選択したＭＣＳを上記優先度に基づき変更することもできる。これらの新規、再送制御及びＭＣＳに関する情報は、生成部７に通知される。
【００４４】
ここで、図５を用いて本例のスケジューラ６の機能について説明する。
この図５に例示するように、本例のスケジューラ６は、ＭＣＳ決定部１８と、再送情報決定部１９と、ユーザ割り当て情報生成部２０と、公平性制御部２１と、をそなえる。
ＭＣＳ決定部１８は、ＵＥ２が上りデータの送信に用いる上りＭＣＳ情報を決定する。決定した上りＭＣＳ情報は、上り送信フレーム復調・復号部５に通知されて、上りデータの復調及び復号処理に用いられる。また、適応符号化変調を用いる場合、各ＵＥ２からのＣＱＩ情報を基に、当該ＵＥ２の上りＭＣＳ情報が決定される。さらに、ＵＥ２からの上り制御情報に含まれる下り方向のＣＱＩ情報を基に、下りデータの変調、符号化処理に用いられる下りＭＣＳ情報を決定する。上り及び下りＭＣＳ情報は、生成部７に通知される。
【００４５】
再送情報決定部１９は、ＵＥ２からの上りデータに含まれる、下りデータについてのＣＲＣ情報（ＣＲＣ結果）に基づき、当該ＵＥ２に対して新規送信要求あるいは再送要求を行なうかどうかを決定する。決定結果は、生成部７に通知される。
ユーザ割り当て情報生成部２０は、各ＵＥ２から報告されたバッテリ残量情報に基づき、各ＵＥ２の優先度を決定する。決定された優先度は、例えば、ユーザ割り当て情報生成部２０が有する優先度テーブル（図２及び図３参照）に、各ＵＥ２に対応付けられて格納される。この優先度テーブルは、バッテリ残量情報が通知される度に更新されてもよく、更新された優先度テーブルの内容及びバッテリ残量情報は、ユーザ割り当て情報に含まれて、公平性制御部２１へ送出される。
【００４６】
公平性制御部（優先度制御部）２１は、優先度テーブルの内容及びバッテリ残量情報に基づき、特定のＵＥ２が偏って優遇されないように当該ＵＥ２の優先度をバッテリ残量の変化に関わらず前記規則に従って変更する。例えば、本例の公平性制御部２１は、優先度テーブルに設定された優先度のうち最も高い優先度を低くすることができる。このため、公平性制御部２１は、例示的に、時間制御部２２と、回数制御部２３と、バッテリ制御部２４と、をそなえる。なお、公平性制御部２１は、例えば、時間制御部２２，回数制御部２３，バッテリ制御部２４のいずれか１又は２以上の組み合わせをそなえることとしてもよい。
【００４７】
時間制御部２２は、優先度テーブルに設定された情報について、前回の優先度の設定から所定の時間Ｔが経過後、各ＵＥ２の優先度を変更する。このため、本例の時間制御部２２は、例えば、時間計測用のタイマ（図示省略）を有する。本例の時間制御部２２は、例えば、前回の優先度設定から所定の時間Ｔが経過したと判定した場合に、優先度テーブルに設定されている優先度が第１の閾値Ｒ（Ｒは正数）以上であるＵＥ２の当該優先度を低下させる。
【００４８】
また、回数制御部２３は、優先度テーブルに設定された優先度の更新回数の回数が第２の閾値Ｑ（Ｑは自然数）以上であるＵＥ２について、当該優先度を低下させる。このため、本例の回数制御部２３は、例えば、前記更新回数を計数するためのカウンタ（図示省略）を有する。本例の回数制御部２３は、例えば、優先度に基づく通信制御によるデータ送信回数が上記Ｑ以上の回数であるＵＥ２について、当該優先度を低下させる。また、例えば、優先度の更新回数が上記Ｑ以上の回数であるＵＥ２について、当該優先度を低下させてもよい。
【００４９】
さらに、バッテリ制御部２４は、ＵＥ２から報告されたバッテリ情報に基づいて、当該バッテリ残量の変化の度合い（減少度合い）が第３の閾値Ｐ（Ｐは正数）未満であるＵＥ２について、優先度を低下させる。例えば、本例のバッテリ制御部２４は、上記所定の時間Ｔの間に変化（減少）するバッテリ情報量を監視し、その変化の度合い（減少度合い）が上記Ｐ未満である場合に、当該ＵＥ２がバッテリ残量を過少報告していると判断して、当該ＵＥ２の優先度を低下させる。
【００５０】
ここで、公平性制御部２１（時間制御部２２，回数制御部２３，バッテリ制御部２４）での優先度の低下幅（下げ幅）は、例示的に、一定の低下量とすることができる。このようにすれば、公平性制御部２１での優先度低下制御を単純化することが可能となる。また、前記低下量は、例えば、システムの管理者などにより適宜変更するようにしてもよい。例えば、時間制御部２２及び回数制御部２３により優先度を低下させる場合、当該優先度がｅＮＢ１と接続中のＵＥ２の優先度の平均値以下となるように下げ幅を設定してもよい。一方、バッテリ制御部２４により優先度を低下させる場合は、例えば、当該優先度が最も低くなるように下げ幅を設定してもよい。
【００５１】
また、公平性制御部２１（時間制御部２２，回数制御部２３，バッテリ制御部２４）は、例えば、上記優先度の低下制御に伴って、優先度が上記Ｒ未満であるＵＥ２の優先度を高くするようにしてもよい。例えば、所定の時間Ｔの間、継続して優遇されてきたＵＥ２の優先度が低下されたことに応じて、それまで優遇されていなかった他のＵＥ２の優先度を高くする（繰り上げる）ことができる。
【００５２】
これにより、各ＵＥ２に設定される優先度の偏りを抑制して、ＵＥ２間のｅＮＢ１に対する通信の公平性を保つことが可能となる。
また、スケジューラ６は、例えば、ＵＥ２のバッテリ残量が回復した場合、当該ＵＥ２の優先度を低下させるとともに、その他のＵＥ２の優先度を高くするようにしてもよい。これにより、バッテリ残量が十分でないＵＥ２について優先的な通信制御を行なうことが可能となる。なお、ＵＥ２のバッテリ残量は、例えば、バッテリの充電などにより回復する。
【００５３】
生成部７は、スケジューラ６から通知される再送関連情報（新規／再送を示す情報）及びＭＣＳ情報に基づき、各種信号を生成する。例えば、再送関連情報が新規送信を示す情報である場合は、ＵＥ２宛の新規データの生成を行なう。一方、再送関連情報が再送を示す情報である場合は、当該ＵＥ２宛の再送データの生成を行なう。このため、生成部７は、図４に示すように、例示的に、データ生成部８と、制御情報生成部９と、ＲＳ生成部１０と、をそなえる。
【００５４】
データ生成部８は、ＵＥ２宛の下りデータ（ユーザデータ）を生成する。上述のように、本例のデータ生成部８は、再送関連情報に応じて、新規データまたは再送データを下りデータとして生成する。この下りデータは、データ構成部１１へ送出される。
制御情報生成部９は、スケジューラ６から通知される再送関連情報及びＭＣＳ情報に基づいて、制御情報を生成する。この制御情報には、ＵＥ２宛の下りデータが新規であるか再送であるかを示す再送関連情報とＭＣＳ情報とが含まれ得る。また、ＵＥ２宛に新規データの送信要求あるいは再送要求を行なうための上り制御情報が含まれ得る。
【００５５】
ＲＳ生成部１０は、既知の信号であるReference Signal（ＲＳ、リファレンス信号）を生成する。このＲＳは、例えば、ＵＥ２においてチャネル推定などに用いられる。
データ構成部１１は、スケジューラ６から通知されたＭＣＳ情報のうち符号化率に関する情報に基づき、ＵＥ２宛の下りデータに所定の符号化（コーディング）を施して、所定のフォーマット（レート）の送信データを生成する。
【００５６】
データ変調部１２は、スケジューラ６から通知されたＭＣＳ情報のうち変調方式に関する情報に基づき、ＵＥ２宛の下りデータに所定の変調処理を施す。変調を施されたＵＥ２宛の下りデータには、ＣＲＣ符号を付加してもよい。
制御情報構成部１３は、スケジューラ６から通知されたＭＣＳ情報のうち符号化率に関する情報に基づき、制御情報生成部９で生成された上記制御情報に符号化（コーディング）を施して所定のフォーマット（レート）の制御情報を生成する。
【００５７】
制御情報変調部１４は、スケジューラ６から通知されたＭＣＳ情報のうち変調方式に関する情報に基づき、制御情報生成部９で生成された上記制御情報に変調処理を施す。変調を施された制御情報には、ＣＲＣ符号が付加されてもよい。
ここで、データ構成部１１及び制御情報構成部１３での符号化処理には、例えば、ターボ符号や畳み込み符号等の誤り訂正符号によるチャネル符号化処理を適用することができる。また、データ変調部１２及び制御情報変調部１４での変調処理には、例えば、Quadrature Phase Shift Keying（ＱＰＳＫ）変調方式や１６値Quadrature Amplitude Modulation（ＱＡＭ）変調方式による変調処理を適用することができる。
【００５８】
多重化部１５は、スケジューラ６からの上記ユーザ割り当て情報に基づいて、上記下りデータ，制御情報及びＲＳを多重化して、下り無線リソースに割り当てる（マッピングする）。多重化には、例えば、Frequency Division Multiplex（ＦＤＭ、周波数分割多重化），Time Division Multiplex（ＴＤＭ、時分割多重化），Orthogonal Frequency-Division Multiplexing（ＯＦＤＭ、直交周波数分割多重化）などの多重化方式を用いることができる。
【００５９】
このようにして、多重化部１５により作成された下り信号は、上述の送信部１６及び送信アンテナ１７を介して、ＵＥ２へ無線送信される。
上述のように、本例のｅＮＢ１は、複数のＵＥ２から受信した当該ＵＥ２のバッテリ情報に応じて定められる優先度に関わらず、上記のような所定の規則に従って変更するから、ＵＥ２の優先度が偏ることを防止できる。したがって、ＵＥ２間のｅＮＢ１に対する通信の公平性を保つことが可能となる。
【００６０】
（２．２）ｅＮＢ１の動作例
次に、上記ｅＮＢ１の動作例（通信方法）について、図７〜図９を用いて説明する。
（２．２．１）時間制御部２２による優先度変更制御
まず、図７に例示するように、ｅＮＢ１により、各ＵＥ２宛のデータスケジューリングが開始されると、ｅＮＢ１は、初期割り当て（初期スケジューリング）を行なう（ステップＳ１００）。この初期割り当てでは、ｅＮＢ１は、ＵＥ２のバッテリ情報を受信（収集）していないため、公平にスケジューリングされる。なお、初期割り当てでは、例えば、優先度にある初期値を設定しておいてもよい。
【００６１】
そして、ｅＮＢ１は、上記スケジューリング結果に基づいて、ＵＥ２宛に下りデータを送信したり、ＵＥ２から上りデータを受信して、ＵＥ２と無線通信を行なう（ステップＳ１０１）。
上記のように、ｅＮＢ１により初期割り当てに基づいた通信が開始されると、ｅＮＢ１は、各ＵＥ２から定期あるいは不定期に、バッテリ情報（バッテリ残量）を受信（収集）する（ステップＳ１０２）。
【００６２】
すると、ｅＮＢ１は、バッテリ残量の少ないＵＥ２ほど高い優先度を設定する（ステップＳ１０３）。この優先度は、スケジューラ６により、各ＵＥ２と対応付けられて優先度テーブルに格納（設定）される。
ｅＮＢ１において上記優先度テーブルが作成されると、時間制御部２２は、タイマをリセット（初期化）し（ステップＳ１０４）、監視時間の計測を開始する（ステップＳ１０５）。
【００６３】
そして、時間制御部２２は、上記タイマの計測結果に基づいて、所定の時間Ｔ（監視時間）の間、優先度が継続的に第１の閾値Ｒ以上であるＵＥ２が存在するかどうかを判定する（ステップＳ１０６）。
時間制御部２２により、上記監視時間中、優先度が継続的に上記Ｒ以上であるＵＥ２が存在すると判定されると（ステップＳ１０６のＹｅｓルート）、ｅＮＢ１は、当該ＵＥ２の優先度を低下させる（ステップＳ１０７）。このときの優先度の下げ幅は、上述したように、例えば、一定の低下幅とすることができる。また、低下幅は、システムの管理者などにより適宜変更してもよいが、ｅＮＢ１と接続中のＵＥ２の優先度の平均値以下となるように下げ幅を設定してもよい。さらに、例えば、当該優先度が最も低くなるように下げ幅を設定してもよい。
【００６４】
さらに、ステップＳ１０７での優先度の低下制御に伴って、スケジューラ６は、その他のＵＥ２の優先度を高くしてもよい。
そして、ｅＮＢ１は、上記優先度テーブルに設定された優先度に基づいて、優先度の高いＵＥ２ほど優遇されるように通信制御を行なう。例えば、ｅＮＢ１は、優先度の高いＵＥ２ほど、通信品質の良好な通信チャネルを割り当てることができる（ステップＳ１０８）。
【００６５】
ｅＮＢ１は，ステップＳ１０８での割り当て結果に基づき、ＵＥ２と送受信するデータについてスケジューリングを行ない、ＵＥ２と無線通信を行なう（ステップＳ１０９）。
一方、時間制御部２２により、上記監視時間中、優先度が継続的に上記Ｒ以上であるＵＥ２が存在しないと判定されると（ステップＳ１０６のＮｏルート）、ｅＮＢ１は、優先度テーブルに設定された優先度を変更しない。そして、ｅＮＢ１は、上記優先度テーブルに設定された優先度に基づいて、優先度の高いＵＥ２ほど優遇されるように通信制御を行なう（ステップＳ１０８）。そして、ｅＮＢ１は，ステップＳ１０８での割り当て結果に基づき、ＵＥ２と送受信するデータについてスケジューリングを行ない、ＵＥ２と無線通信を行なう（ステップＳ１０９）。
【００６６】
次いで、ｅＮＢ１は、ＵＥ２宛のデータの送信が完了したかどうかを判定する（ステップＳ１１０）。
ｅＮＢ１により、ＵＥ２宛のデータ送信が完了したと判定されると（ステップＳ１１０のＹｅｓルート）、ｅＮＢ１は、上記動作を終了する。一方、ｅＮＢ１により、ＵＥ２宛のデータ送信が完了していないと判定されると（ステップＳ１１０のＮｏルート）、ｅＮＢ１は、上記ステップＳ１０２〜ステップＳ１１０の処理を繰り返す。
【００６７】
（２．２．２）回数制御部２３による優先度変更制御
また、図８に例示するように、回数制御部２３により、優先度テーブルに設定された優先度の更新回数の回数が第２の閾値Ｑ以上であるＵＥ２について、当該優先度を低下させるようにしてもよい。
この場合も、まず、ｅＮＢ１により、各ＵＥ２宛のデータスケジューリングが開始されると、ｅＮＢ１は、初期割り当て（初期スケジューリング）を行なう（ステップＳ２００）。この初期割り当てでは、ｅＮＢ１は、ＵＥ２のバッテリ情報を受信（収集）していないため、いずれのＵＥ２も公平にスケジューリングされる。なお、上述のように、初期割り当て時には、優先度に初期値を設定するようにしてもよい。
【００６８】
そして、ｅＮＢ１は、上記スケジューリング結果に基づいて、ＵＥ２宛に下りデータを送信したり、ＵＥ２から上りデータを受信して、ＵＥ２と無線通信を行なう（ステップＳ２０１）。
上記のように、ｅＮＢ１により初期割り当てに基づいた通信が開始されると、ｅＮＢ１は、各ＵＥ２から定期あるいは不定期に、バッテリ情報（バッテリ残量）を受信（収集）する（ステップＳ２０２）。
【００６９】
すると、ｅＮＢ１は、バッテリ残量の少ないＵＥ２ほど高い優先度を設定する（ステップＳ２０３）。この優先度は、スケジューラ６により、各ＵＥ２と対応付けられて優先度テーブルに格納（設定）される。
ｅＮＢ１において上記優先度テーブルが作成されると、回数制御部２３は、カウンタをリセット（初期化）し（ステップＳ２０４）、優先度テーブルの更新回数の計測を開始する（ステップＳ２０５）。
【００７０】
そして、回数制御部２３は、上記カウンタでの計測結果に基づいて、優先度テーブルの更新回数（優先度に基づく割り当て回数）が上記Ｑ以上であるＵＥ２が存在するかどうかを判定する（ステップＳ２０６）。
回数制御部２３により、優先度テーブルの更新回数（優先度に基づく割り当て回数）が上記Ｑ以上であるＵＥ２が存在すると判定されると（ステップＳ２０６のＹｅｓルート）、ｅＮＢ１は、当該ＵＥ２の優先度を低下させる（ステップＳ２０７）。このときの優先度の下げ幅は、上述したように、例えば、一定の低下幅とすることができる。また、例えば、低下幅は、システムの管理者などにより適宜変更するようにしてもよく、ｅＮＢ１と接続中のＵＥ２の優先度の平均値以下となるように下げ幅を設定してもよい。また、例えば、当該優先度が最も低くなるように下げ幅を設定してもよい。
【００７１】
さらに、ステップＳ２０７での優先度の低下制御に伴って、スケジューラ６は、その他のＵＥ２の優先度を高くしてもよい。
そして、ｅＮＢ１は、上記優先度テーブルに設定された優先度に基づいて、優先度の高いＵＥ２ほど優遇されるように通信制御を行なう。例えば、ｅＮＢ１は、優先度の高いＵＥ２ほど、通信品質の良好な通信チャネルを割り当てることができる（ステップＳ２０８）。
【００７２】
ｅＮＢ１は，ステップＳ２０８での割り当て結果に基づき、ＵＥ２と送受信するデータについてスケジューリングを行ない、ＵＥ２と無線通信を行なう（ステップＳ２０９）。
一方、回数制御部２３により、優先度テーブルの更新回数（優先度に基づく割り当て回数）が上記Ｑ以上であるＵＥ２が存在しないと判定されると（ステップＳ２０６のＮｏルート）、ｅＮＢ１は、優先度テーブルに設定された優先度を変更しない。そして、ｅＮＢ１は、上記優先度テーブルに設定された優先度に基づいて、優先度の高いＵＥ２ほど優遇されるように通信制御を行なう（ステップＳ２０８）。そして、ｅＮＢ１は，ステップＳ２０８での割り当て結果に基づき、ＵＥ２と送受信するデータについてスケジューリングを行ない、ＵＥ２と無線通信を行なう（ステップＳ２０９）。
【００７３】
次いで、ｅＮＢ１は、ＵＥ２宛のデータの送信が完了したかどうかを判定する（ステップＳ２１０）。
ｅＮＢ１により、ＵＥ２宛のデータ送信が完了したと判定されると（ステップＳ２１０のＹｅｓルート）、ｅＮＢ１は、上記動作を終了する。一方、ｅＮＢ１により、ＵＥ２宛のデータ送信が完了していないと判定されると（ステップＳ２１０のＮｏルート）、ｅＮＢ１は、上記ステップＳ２０２〜ステップＳ２１０の処理を繰り返す。
【００７４】
（２．２．３）バッテリ制御部２４
また、図９に例示するように、バッテリ制御部２４により、ＵＥ２から報告されるバッテリ残量の変化の度合い（減少度合い）が第３の閾値Ｐ未満であるＵＥ２について、優先度を低下させるようにしてもよい。
この場合も、まず、ｅＮＢ１により、各ＵＥ２宛のデータスケジューリングが開始されると、ｅＮＢ１は、初期割り当て（初期スケジューリング）を行なう（ステップＳ３００）。この初期割り当てでは、ｅＮＢ１は、ＵＥ２のバッテリ情報を受信（収集）していないため、いずれのＵＥ２も公平にスケジューリングされる。なお、上述のように、初期割り当て時には、優先度に初期値を設定するようにしてもよい。
【００７５】
そして、ｅＮＢ１は、上記スケジューリング結果に基づいて、ＵＥ２宛に下りデータを送信したり、ＵＥ２から上りデータを受信して、ＵＥ２と無線通信を行なう（ステップＳ３０１）。
上記のように、ｅＮＢ１により初期割り当てに基づいた通信が開始されると、ｅＮＢ１は、各ＵＥ２から定期あるいは不定期に、バッテリ情報（バッテリ残量）を受信（収集）する（ステップＳ３０２）。
【００７６】
すると、ｅＮＢ１は、バッテリ残量の少ないＵＥ２ほど高い優先度を設定する（ステップＳ３０３）。この優先度は、スケジューラ６により、各ＵＥ２と対応付けられて優先度テーブルに格納（設定）される。
ｅＮＢ１において上記優先度テーブルが作成されると、バッテリ制御部２４は、専用あるいは時間制御部２２と共用のタイマをリセット（初期化）し（ステップＳ３０４）、監視時間の計測を開始する（ステップＳ３０５）。
【００７７】
そして、バッテリ制御部２４は、ＵＥ２からの定期あるいは不定期のバッテリ残量報告に基づいて、上記監視時間におけるバッテリ残量の変化の度合い（減少度合い）を監視する（ステップＳ３０６）。
次いで、バッテリ制御部２４は、前記監視時間におけるバッテリ残量の変化の度合い（減少度合い）が上記Ｐ未満であるＵＥ２が存在するかどうかを判定する（ステップＳ３０７）。
【００７８】
バッテリ制御部２４により、前記監視時間におけるバッテリ残量の変化の度合い（減少度合い）が上記Ｐ未満であるＵＥ２が存在すると判定されると（ステップＳ３０７のＹｅｓルート）、ｅＮＢ１は、当該ＵＥ２の優先度を低下させる（ステップＳ３０８）。このときの優先度の下げ幅は、上述したように、例えば、一定の下げ幅とすることができる。また、例えば、低下幅は、システムの管理者などにより適宜変更するようにしてもよく、ｅＮＢ１と接続中のＵＥ２の優先度の平均値以下となるように下げ幅を設定してもよい。また、例えば、当該優先度が最も低くなるように下げ幅を設定してもよい。
【００７９】
さらに、ステップＳ３０８での優先度の低下制御に伴って、スケジューラ６は、その他のＵＥ２の優先度を高くしてもよい。
そして、ｅＮＢ１は、上記優先度テーブルに設定された優先度に基づいて、優先度の高いＵＥ２ほど優遇されるように通信制御を行なう。例えば、ｅＮＢ１は、優先度の高いＵＥ２ほど、通信品質の良好な通信チャネルを割り当てることができる（ステップＳ３０９）。
【００８０】
ｅＮＢ１は，ステップＳ３０９での割り当て結果に基づき、ＵＥ２と送受信するデータについてスケジューリングを行ない、ＵＥ２と無線通信を行なう（ステップＳ３１０）。
一方、バッテリ制御部２４により、前記監視時間におけるバッテリ残量の変化の度合い（減少度合い）が上記Ｐ未満であるＵＥ２が存在しないと判定されると（ステップＳ３０７のＮｏルート）、ｅＮＢ１は、優先度テーブルに設定された優先度を変更しない。そして、ｅＮＢ１は、上記優先度テーブルに設定された優先度に基づいて、優先度の高いＵＥ２ほど優遇されるように通信制御を行なう（ステップＳ３０９）。そして、ｅＮＢ１は，ステップＳ３０９での割り当て結果に基づき、ＵＥ２と送受信するデータについてスケジューリングを行ない、ＵＥ２と無線通信を行なう（ステップＳ３１０）。
【００８１】
次いで、ｅＮＢ１は、ＵＥ２宛のデータの送信が完了したかどうかを判定する（ステップＳ３１１）。
ｅＮＢ１により、ＵＥ２宛のデータ送信が完了したと判定されると（ステップＳ３１１のＹｅｓルート）、ｅＮＢ１は、上記動作を終了する。一方、ｅＮＢ１により、ＵＥ２宛のデータ送信が完了していないと判定されると（ステップＳ３１１のＮｏルート）、ｅＮＢ１は、上記ステップＳ３０２〜ステップＳ３１１の処理を繰り返す。
【００８２】
このように本例の通信制御方法によれば、ｅＮＢ１が、ＵＥ２のバッテリ残量に応じて定められる優先度を、バッテリ残量の減少度合いにより定まる時間の経過後に変更することができるので、ＵＥ２間でｅＮＢ１に対する通信の公平性を保つことが可能になる。
また、ユーザにより意図的に、バッテリ残量が上記所定の閾値未満に維持されるような場合であっても、他のＵＥ２に与える影響を抑制することが可能となる。
【００８３】
〔３〕その他
なお、上述したｅＮＢ１及びＵＥ２の各構成及び各処理は、必要に応じて取捨選択してもよいし、適宜組み合わせてもよい。
また、上記の例では、ｅＮＢ１及びＵＥ２にて上記通信制御を実施する場合について説明したが、無線通信システムのその他の構成要素（エンティティ）にて上記通信制御を実施することも可能である。例えば、ｅＮＢ１及びＵＥ２の各構成及び各処理は、無線通信システムに分散させて配置してもよいし、１つの装置（例えば、ｅＮＢ，ＵＥ，無線基地局制御装置など）に配置するようにしてもよい。
【００８４】
また、上記の例では、ＵＥ２がバッテリ情報を制御チャネルあるいはデータチャネルに含めてｅＮＢ１に報告する例について説明したが、その他の送信フレームフォーマットにおける各種領域にバッテリ情報を含めるようにしてもよい。例えば、ｅＮＢ１との通信開始に使用されるランダムアクセスチャネル（Random Access Channel、ＲＡＣＨ）に含まれるプリアンブル部及びメッセージ部のうち、メッセージ部に上記バッテリ情報を含めるようにしてもよい。
【００８５】
さらに、上記の例では、下り方向（ダウンリンク）の通信について、上記スケジューリングを適用する例について説明したが、上り方向（アップリンク）の通信に上記スケジューリングを適用してもよい。
【図面の簡単な説明】
【００８６】
【図１】一実施形態に係る無線通信システムの構成例を示す図である。
【図２】優先度テーブルの設定例を示す図である。
【図３】優先度テーブルの設定例を示す図である。
【図４】図１に示す基地局の構成例を示すブロック図である。
【図５】図４に示す構成の一部を示すブロック図である。
【図６】図１に示す通信端末の構成例を示すブロック図である。
【図７】図４に示す基地局の動作例を示すフローチャートである。
【図８】図４に示す基地局の動作例を示すフローチャートである。
【図９】図４に示す基地局の動作例を示すフローチャートである。
【図１０】バッテリ情報の送信例を示す図である。
【図１１】バッテリ情報の送信例を示す図である。
【符号の説明】
【００８７】
１  基地局（ｅＮＢ）
２，２−１，２−２，２−３  通信端末（ＵＥ）
３  受信アンテナ
４  受信部
５  上り送信フレーム復調・復号部
６  スケジューラ（通信制御部）
７  生成部
８  データ生成部
９  制御情報生成部
１０  ＲＳ生成部
１１  データ構成部
１２  データ変調部
１３  制御情報構成部
１４  制御情報変調部
１５  多重化部
１６  送信部
１７  送信アンテナ
１８  ＭＣＳ決定部
１９  再送情報決定部
２０  ユーザ割り当て情報生成部
２１  公平性制御部（優先度制御部）
２２  時間制御部
２３  回数制御部
２４  バッテリ制御部
２５  バッテリ残量情報収集部（情報送信部）
２６  上り制御情報生成部
２７  上り送信フレーム構成部
２８  送信部
２９  送信アンテナ
３０  受信アンテナ
３１  受信部
３２  分離部
３３  データ復調部
３４  制御情報復調部
３５  制御情報復号部
３６  チャネル推定部
３７  データ復号部
３８  誤り検出部
【図１】
2010034781.tif 000003
【図２】
2010034781.tif 000004
【図３】
2010034781.tif 000005
【図４】
2010034781.tif 000006
【図５】
2010034781.tif 000007
【図６】
2010034781.tif 000008
【図７】
2010034781.tif 000009
【図８】
2010034781.tif 000010
【図９】
2010034781.tif 000011
【図１０】
2010034781.tif 000012
【図１１】
2010034781.tif 000013